(57)【要約】【課題】  プレゼントカードや記念カード等がより有効にプリペイド機能を発揮できるようにする。【解決手段】  パスワード１０の付されたパスワード片１と、複数の端末機器２と、それら端末機器２が通信ライン５を介して接続される中央機器３とからなり、中央機器３にパスワード１０に対応する金額残度数を記憶する記憶手段２３と、端末機器２からパスワード１０を用いての動作要求があった際にその内容に相当する度数を金額残度数より減算する減算手段２１とを備えてなることを特徴とするプリペイドシステム。【選択図】図１
2007299361.tif 000002
【特許請求の範囲】
【請求項１】
パスワードの付されたパスワード片と、複数の端末機器と、それら端末機器が通信ラインを介して接続される中央機器とからなり、前記中央機器に前記パスワードに対応する金額残度数を記憶する記憶手段と、前記端末機器から前記パスワードを用いての動作要求があった際にその内容に相当する度数を前記金額残度数より減算する減算手段とを備えてなることを特徴とするプリペイドシステム。
【発明の詳細な説明】
【技術分野】
【０００１】  この発明は、プリペイドシステムに関する。
【背景技術】
【０００２】  最近においては、各種プリペイドカード広く用いられるようになっている。このプリペイドカードには金額残度数が書き込まれていて、購入内容に対応して対応機器によりその金額残度数が減算されるようになっている。一方この種プリペイドカードはプレゼントカードや各種記念カードとして用いられる場合が多い。
【発明の開示】
【発明が解決しようとする課題】
【０００３】  上記のようなプリペイド機能を持たせたプレゼントカードや記念カードの場合、そのカードを使用して購入等を行う際には対応機器を使用して金額残度数の減算を行うので、その使用範囲、すなわち、使用場所、購入物品、提供サービス等は限られてしまうという問題点があった。【０００４】  この発明では、プレゼントカードや記念カード等がより有効にプリペイド機能を発揮できるようにすることを目的とする。
【課題を解決するための手段】
【０００５】  この発明では、パスワードの付されたパスワード片と、複数の端末機器と、それら端末機器が通信ラインを介して接続される中央機器とからなり、前記中央機器に前記パスワードに対応する金額残度数を記憶する記憶手段と、前記端末機器から前記パスワードを用いての動作要求があった際にその内容に相当する度数を前記金額残度数より減算する減算手段とを備えてなることを特徴とするプリペイドシステムを提供する。【０００６】  この発明の構成によれば、パスワード片に付されたパスワードか用いられて端末機器から通信ラインを介して中央機器にアクセスがなされ動作要求があった際には、記憶される金額残度数から要求内容に相当する度数が減算される。
【発明の効果】
【０００７】  この発明によれば、パスワード片がカード等とされて用いられることで、そのパスワードを使用してインターネット等を利用して広く物品購入ができるようになるとともに各種サービスの提供が受けることができるようになり、これにより、プレゼントカードや記念カード等がプリペイド機能をより有効に発揮できるように使用される。
【発明を実施するための最良の形態】
【０００８】  図１はこの発明のプリペイドシステムの全体構成図であり、１のそれぞれはパスワード片としてのカード、２のそれぞれは携帯電話機やパーソナルコンピュータよりなる端末機器、３は物品販売を行ったりサービス提供業務を行う会社内に設置される中央機器であり、端末機器２それぞれと中央機器３とはインターネットの通信ライン５により接続されている。【０００９】  図２から図４は上記カード１を示し、カード１はプラスチックス製のベースシート５の上面全体にスキミング防止機能を持つ金属蒸着膜層７が付設されるとともに、その上面全体に３次元立体画像形成層８が付設されて構成され、ベースシート５下面の一部には特定のパスワード９が記され、そのパスワード９を覆うように掻き取り可能な金属蒸着層１０が付設されている。パスワード９はシールを貼ることによって覆ってもよく、また、感温インクで印刷することでカードを暖めることで現れるようにすることもできる。【００１０】  この実施形態のカード１はパスワード９に抽選機能マーク９ａを持ち、その抽選機能マーク９ａが「当たり」である場合にはプリペイド金額が後に説明するように増大される。そして、その「当たり」が金額蒸着層１０を掻き取る時点において確認ができることで楽しめるようになっている。カード１は金額残度数を持つプレゼントカードや記念カードとして販売され、通常、プレゼントカードや記念カードは千円程度で販売されるのに対して、一万円、二万円等の高額で販売される。そして、「当たり」の場合には、一万円で購入したカード１が一万五千円の金額残度数を持つものとなる。【００１１】  上記のような構成を持つことでカード１はその表面に意匠性に優れる３次元立体画像１１を呈し、かつ、財布等に入れて用いられることで隣接配置されるキャッシュカード等における暗証番号等のスキミング防止を果たし、さらに、パスワード９部分における抽選機能を併せ持つ。【００１２】  上記中央機器３には通信ライン５側に接続される通信部２０と、全体の動作制御を行う制御部２１と、動作制御用プログラム及び各種データを記憶する記憶部２３とが設けられている。制御部２１と記憶部２３とはマイクロコンピュータにより構成され、制御部２１と記憶部とのそれぞれがこの発明の減算手段と記憶手段とをそれぞれ構成する。【００１３】  以下、この発明のプリペイドシステムの動作を、上記制御部２１の動作を表す図５に示すフローチャートを参照して説明する。まず、カード１の使用者はその金属蒸着層１０を掻き取ることで確認できるパスワード９を用いて端末機器２から中央機器３にアクセスする。【００１４】  中央機器３ではそのパスワード９の是非が判定され、是とする場合はその使用が初回かどうか判定され、さらに、初回である場合は使用されるカード１の「当たり」判定が行われる（ステップ１〜３）。「当たり」であると判定がなされた場合は、金額残度数は増大されたものとなり、決定された金額残度数が表示送信される（ステップ４〜５）。これに対し、カード１の使用が初回で無い場合にはステップ２からステップ４に移行する。【００１５】  次に、中央機器１から端末機器２へ購入物品や提供サービスの案内表示送信がなされ、これを端末機器２で見��ことによりカード使用者が物品購入やサービス提供の要求をすると、物品購入要求があった場合にはその内容が記憶され、サービス提供の要求があった場合にはその内容を記憶するとともにさらに端末機器２側からの入力に対応する動作が実行される（ステップ６〜７）。【００１６】  物品購入の要求に対しては記憶されるその内容を確認することで後日物品の配送手配がなされ、サービス提供としては、例えば携帯電話機で撮られた写真画像を受信してそれをプリントして後日配送する等のことを行う。要求内容への対応動作後には減算された金額残度数が端末機器２側に送信されて動作が終了する（ステップ８〜９）。
【図面の簡単な説明】
【図１】  この発明のプリペイドシステムの実施形態の全体構成図
【図２】  この発明のプリペイドシステムにおいて用いるカードの実施形態の表面側斜視図
【図３】  この発明のプリペイドシステムにおいて用いるカードの実施形態の裏面側斜視図
【図４】  この発明のプリペイドシステムにおいて用いるカードの実施形態の断面図
【図５】  この発明のプリペイドシステムの動作説明のためのフローチャート図
【符号の説明】
１  カード（パスワード片）
２  端末機器
３  中央機器
５  通信ライン
２１  制御部（減算手段）
２３  記憶部（記憶手段）
【図１】
2007299361.tif 000003
【図２】
2007299361.tif 000004
【図３】
2007299361.tif 000005
【図４】
2007299361.tif 000006
【図５】
2007299361.tif 000007